(57)【要約】【課題】  電気式の希釈装置において、希釈液および薬液用の各流量センサや電動式の部品のメインテナンスを容易に行えるようにする。【解決手段】  薬液供給手段によるタンクへの薬液供給量を検出する薬液流量センサと、希釈液供給手段による前記タンクへの希釈水供給量を検出する水用流量センサと、希釈薬液の希釈倍率を設定する希釈倍率設ボタンと、希釈倍率の設定値と前記両流量センサの検出値に基づいて薬液供給手段および希釈液供給手段の少なくとも何れか一方の作動を制御する制御ユニットとを備えた希釈装置であって、該希釈装置の制御情報とメインテナンス情報の何れか一方を表示し得る操作表示部と、該操作表示部の表示モードを、前記制御情報を表示する通常モードから前記メインテナンス情報を表示するメインテナンスモードに切り換える表示切換手段とを備えたことを特徴とする。【選択図】図７
2006346628.tif 000002
【特許請求の範囲】
【請求項１】
所定のタンクに薬液を供給する薬液供給手段と、該薬液供給手段からの薬液供給量を検出する薬液流量センサと、前記タンクに希釈液を供給する希釈液供給手段と、該希釈液供給手段からの希釈液供給量を検出する希釈液流量センサと、前記希釈薬液の希釈倍率を設定する希釈倍率設定手段と、該希釈倍率設定手段の設定値と前記薬液流量センサの検出値と前記希釈液流量センサの検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る希釈装置であって、
該希釈装置の制御に関連した制御情報と、前記希釈装置のメインテナンスに関連したメインテナンス情報の何れか一方を表示し得る表示手段と、
該表示手段の表示モードを、前記制御情報を表示する通常モードから、前記メインテナンス情報を表示するメインテナンスモードに切り換える表示切換手段と、
を備えたことを特徴とする希釈装置。
【請求項２】
前記メインテナンス情報は、前記薬液流量センサ及び希釈液流量センサの少なくとも何れか一方の作動状態を示すものであることを特徴とする請求項１記載の希釈装置。
【請求項３】
前記メインテナンス情報は、前記薬液供給手段に備えられた電動モータの作動時間の積算値を示すものであることを特徴とする請求項１記載の希釈装置。
【発明の詳細な説明】
【技術分野】
【０００１】
この発明は、希釈倍率設定ボタンで設定された希釈倍率設定値と希釈水流量センサ及び薬液流量センサの各検出値に基づいて、希釈水供給手段および薬液供給手段少なくとも何れか一方の作動を制御することで、薬液を所定の希釈液で薄めて所定希釈倍率の希釈薬液を得るようにした、所謂、電気式の希釈装置に関する。
【背景技術】
【０００２】
従来、薬液を所定の希釈液で薄めて所定希釈倍率の希釈薬液を得る希釈装置として、希釈倍率設定ボタンで設定された希釈倍率設定値と希釈水流量センサ及び薬液流量センサの各検出値に基づいて、希釈水の給水電磁弁および薬液供給用の電動式ポンプの少なくとも何れか一方の作動を制御するようにしたものが知られている（例えば、特許文献１参照）。かかる電気式の希釈装置によれば、旧来のアスピレータ式のものに比して遥かに高精度で、設定された希釈倍率の希釈薬液を得ることができる。
【特許文献１】特開２００４−３５０３１号公報
【発明の開示】
【発明が解決しようとする課題】
【０００３】
上述のような電気式の希釈装置では、希釈液および薬液用の各流量センサに加えて、薬液供給用ポンプの電動モータなど、旧来のアスピレータ式の希釈装置には無い電動式の部品が重要な構成要素として組み込まれている。
従って、設定された希釈倍率の希釈薬液を安定して得る上で、前記各流量センサや電動モータを適切にメインテナンスすることが重要であり、かかるメインテナンスを容易に行えるようにすることが求められている。
【０００４】
そこで、この発明は、希釈倍率設定ボタンで設定された希釈倍率設定値と希釈水流量センサ及び薬液流量センサの各検出値に基づいて、希釈水の給水電磁弁および薬液供給用の電動式ポンプの少なくとも何れか一方の作動を制御するようにした、所謂、電気式の希釈装置において、希釈液および薬液用の各流量センサや電動式の部品の適切なメインテナンスを容易に行えるようにすることを目的としてなされたものである。
【課題を解決するための手段】
【０００５】
このため、本願請求項１の発明(以下、第１の発明という)は、所定のタンクに薬液を供給する薬液供給手段と、該薬液供給手段からの薬液供給量を検出する薬液流量センサと、前記タンクに希釈液を供給する希釈液供給手段と、該希釈液供給手段からの希釈液供給量を検出する希釈液流量センサと、前記希釈薬液の希釈倍率を設定する希釈倍率設定手段と、該希釈倍率設定手段の設定値と前記薬液流量センサの検出値と前記希釈液流量センサの検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る希釈装置を前提とし、該希釈装置の制御に関連した制御情報と、前記希釈装置のメインテナンスに関連したメインテナンス情報の何れか一方を表示し得る表示手段と、該表示手段の表示モードを、前記制御情報を表示する通常モードから、前記メインテナンス情報を表示するメインテナンスモードに切り換える表示切換手段と、を備えたことを特徴としたものである。
【０００６】
また、本願の請求項２に係る発明(以下、第２の発明という)は、前記第１の発明において、前記メインテナンス情報は、前記薬液流量センサ及び希釈液流量センサの少なくとも何れか一方の作動状態を示すものであることを特徴としたものである。
【０００７】
更に、本願の請求項３に係る発明(以下、第３の発明という)は、前記第１の発明において、前記メインテナンス情報は、前記薬液供給手段に備えられた電動モータの作動時間の積算値を示すものであることを特徴としたものである。
【発明の効果】
【０００８】
本願の第１の発明によれば、所定のタンクに薬液を供給する薬液供給手段と、該薬液供給手段からの薬液供給量を検出する薬液流量センサと、前記タンクに希釈液を供給する希釈液供給手段と、該希釈液供給手段からの希釈液供給量を検出する希釈液流量センサと、前記希釈薬液の希釈倍率を設定する希釈倍率設定手段と、該希釈倍率設定手段の設定値と前記薬液流量センサの検出値と前記希釈液流量センサの検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る、所謂、電気式の希釈装置において、該希釈装置の制御に関連した制御情報と、前記希釈装置のメインテナンスに関連したメインテナンス情報の何れか一方を表示手段に表示させることができる。
そして、希釈装置の運転時など通常時には、前記表示手段の表示モードを通常モードとして、希釈装置の制御に関連した制御情報を表示する一方、該希釈装置のメインテナンス情報が必要な場合には、表示切換手段で表示モードをメインテナンスモードに切り換えることにより、前記希釈装置のメインテナンスに関連したメインテナンス情報を表示手段に表示させることができる。すなわち、表示切換手段の切換操作を行うことで、所要のメインテナンス情報を容易に得ることができ、希釈装置の適切なタイミングでのメインテナンスを容易に行えるようになる。
【０００９】
また、本願の第２の発明によれば、基本的には前記第１の発明と同様の作用効果を奏することができる。特に、薬液流量センサ及び希釈液流量センサの少なくとも何れか一方について、その作動状態を示すメインテナンス情報を表示手段に表示することができ、前記流量センサの適切なタイミングでのメインテナンスを容易に行えるようになる。
【００１０】
更に、本願の第３の発明によれば、基本的には前記第１の発明と同様の作用効果を奏することができる。特に、薬液供給手段に備えられた電動モータについて、その作動時間の積算値を示すメインテナンス情報を表示手段に表示することができ、前記電動モータの適切なタイミングでのメインテナンスを容易に行えるようになる。
【発明を実施するための最良の形態】
【００１１】
以下、本発明の実施形態について、添付図面を参照しながら詳細に説明する。
本実施形態に係る希釈装置は、薬液を所定の希釈液で薄めて所定希釈倍率の希釈薬液を得るもので、特に、希釈倍率の設定値と希釈水流量センサ及び薬液流量センサの各検出値に基づいて、希釈水の給水電磁弁および薬液供給用の電動式ポンプの少なくとも何れか一方の作動を制御するようにした、所謂、電気式の希釈装置である。
図１は本実施形態に係る希釈装置の全体構成を概略的に示すブロック構成図、図２は図１の要部を拡大して示す要部拡大説明図、また、図３は前記希釈装置の駆動系および制御系の構成を概略的に示すブロック構成図である。
【００１２】
図１に示すように、前記希釈装置Ａｄは、所定の希釈液（希釈用液体）で希釈されるべき薬液を貯える第１タンクТ１と、該第１タンクＴ１から供給された薬液を希釈液で希釈して得られる希釈薬液を貯える第２タンクТ２とを備えている。第１タンクТ１内の薬液は、薬液供給管Ｐｄ１から第２タンクＴ２に向かって供給される。
本実施形態では、希釈液として、例えば水道水が用いられる。また、薬液としては、例えば食器洗い用の洗剤が用いられる。
【００１３】
前記薬液供給管Ｐｄ１は、後述するギヤポンプ２２の入口側（吸い込み側）に接続され、該ギヤポンプ２２の出口側（吐出側）には薬液吐出管Ｐｄ２が繋ぎ込まれている。この薬液吐出管Ｐｄ２には、ギヤポンプ２２の吐出口にできるだけ近い直下流側に、ギヤポンプ２２からの吐出液体（薬液）の状態を検知するセンサとして、薬液流量センサ２６が介設されている。薬液吐出管Ｐｄ２は、この薬液流量センサ２６よりも下流側で、前記第２タンクＴ２へのタンク供給管Ｐｋに接続されている。
つまり、第１タンクＴ１に貯えられた薬液は、前記ギヤポンプの吸い込み／吐出作用により、前記薬液供給管Ｐｄ１，ギヤポンプ２２，薬液流量センサ２６が介設された薬液吐出管Ｐｄ２及びタンク供給管Ｐｋを順次介して、前記第２タンクＴ２内へ供給されるようになっている。
【００１４】
前記第２タンクТ２のタンク供給管Ｐｋには、前記薬液吐出管Ｐｄ２だけでなく希釈液吐出管（水用吐出管）Ｐｗ２が接続されており、これら薬液吐出管Ｐｄ２及び水用吐出管Ｐｗ２を介して、第２タンクТ２内に薬液（洗剤）及び希釈液（水）が吐出され、該第２タンクТ２内で両者が混合される。その結果得られた希釈薬液が、そのまま第２タンクТ２内に貯えられ、必要に応じて使用に供されるようになっている。
【００１５】
希釈装置Ａｄには、希釈液としての水道水を供給する給水系として、給水系の入口部（最上流部）となる給水接続部１２と給水電磁弁１４と減圧定流量弁１６と水用流量センサ１８とが、給水管Ｐｗ１の上流側から順に配設されている。前記給水接続部１２には水道管２が接続されており、この水道管２からの水道水は、給水管Ｐｗ１に介設された給水電磁弁１４と減圧定流量弁１６と流量センサ１８とを順次介して、水用吐出管Ｐｗ２に送られ、この水用吐出管Ｐｗ２を介して第２タンクТ２内に吐出される。
【００１６】
尚、前記給水管Ｐｗ１は、給水電磁弁１４よりも上流側で分岐しており、その一方の分岐管Ｐｗａが前記水用吐出管Ｐｗ２に繋がり、他方の分岐管Ｐｗｂは、給水管Ｐｗ１の出口接続部１３に繋がっている。
希釈装置Ａｄが単独で配置・使用される際には、前記出口接続部１３は閉塞プラグ（不図示）で閉じられる。一方、複数の希釈装置Ａｄが並列に配置されて使用される場合には、前記出口接続部１３が隣接する希釈装置Ａｄの給水接続部１２に繋ぎ込まれ、給水系として共通の水道管２からの給水が利用できるようになっている。これにより、各々の希釈装置Ａｄの給水配管をそれぞれ個別に給水源に接続する必要が無く、給水系の簡素化も図ることもできるようになっている。
【００１７】
給水系に設けられた上記給水電磁弁１４は、希釈装置Ａｄの制御ユニットＵｃ（後述する）からの制御信号に応じて開閉制御されるもので、この電磁弁１４が開かれることにより、給水管Ｐｗ１を介しその分岐管Ｐｗａから希釈装置Ａｄ内へ給水が行われる。また、前記減圧定流量弁１６は、基本的には、水道管２からの水道水を所定圧力に減圧するものであるが、同時に、予め設定された一定の流量を下流側に流す定流量機能を備えている。
【００１８】
更に、前記水用流量センサ１８は、第２タンクТ２への水道水の供給量を検出するもので、その検出信号は前記制御ユニットＵｃに送信される。この水用流量センサ１８は、例えば、流路に介設された羽根車（不図示）の回転を検出し、その回転数に応じたパルス（周波数）信号を検出信号として出力するものである。前記制御ユニットＵｃでは、この出力信号に基づいて給水量が演算される。
尚、具体的には図示しなかったが、前記制御ユニットＵｃには、水用吐出管Ｐｗ２を実際に流れている水量が、この水用流量センサ１８による流量検出を安定して行うために必要とされる最低流量以上であるか否かを判定する際に用いられるタイマ回路、及び実際の流量が前記最低流量に対し不足した状態が継続する時間を判定する際に用いられるタイマ回路などが設けられている。
【００１９】
また、希釈装置Ａｄの薬液供給系には、前述のように、ギヤポンプ２２が薬液供給管Ｐｄ１の下流側に介設されている。このギヤポンプ２２には、該ポンプ２２を駆動するための電動の駆動モータ２４が付設されている。尚、本実施形態では、好ましくは、この駆動モータ２４の回転数を制御することにより、ギヤポンプ２２の運転状態を、高出力（高回転）モードと低出力（低回転）モードとの間で選択的に切り換えることができるようになっている。
【００２０】
図２に詳しく示すように、前記駆動モータ２４に電力を供給する電力供給回路では、モータ２４の両端子間にブレーカＢＫ（ポンプブレーカ）が介設されており、このポンプブレーカＢＫは前記制御ユニットＵｃに信号授受可能に接続されている。
そして、ギヤポンプ２２の運転を停止させる際には、前記ポンプブレーカＢＫをオン（ＯＮ）することで、モータ２４の両端子間を短絡させて該駆動モータの回転を迅速に停止させ、これにより、ギヤポンプ２２をできるだけ迅速に停止させて、無駄な薬液供給を極力低減することができるようになっている。
【００２１】
更に、前述のように、ギヤポンプ２２の出口側（吐出側）には薬液吐出管Ｐｄ２が繋ぎ込まれており、この薬液吐出管Ｐｄ２には、ギヤポンプ２２の吐出口にできるだけ近い直下流側に、ギヤポンプ２２からの吐出液体（薬液）の状態を検知するセンサとして、薬液流量センサ２６が介設されている。
上記第１タンクТ１から薬液供給管Ｐｄ１を介して供給される薬液は、上記駆動モータ２４でギヤポンプ２２が駆動されることにより、該ポンプ２２で第１タンクТ１から吸い上げられ、薬液吐出管Ｐｄ２及びタンク供給管Ｐｋを介して第２タンクТ２内に吐出される。
【００２２】
その際、ギヤポンプ２２の吐出流量が前記薬液流量センサ２６によって検出され、その検出信号が上記制御ユニットＵｃに送信される。
尚、本実施形態では、好ましくは、この薬液流量センサ２６で検知された薬液吐出流量などに応じて、ギヤポンプ２２の運転モードが、高出力モードと低出力モードとの間で切り換えられるようになっている。高出力モードは、当該ギヤポンプ２２の１００％の出力で運転されるモードである。一方、低出力モードは薬液の粘度に応じた出力％で運転されるモードである。すなわち、薬液の種類に応じて標準的な粘度（標準的な温度等の条件に対応した粘度）が定まり、この標準的な粘度レベルに応じて設定吐出流量でのギヤポンプ２２の出力％が設定される。本実施形態では、後述するように、薬液の標準的な粘度レベルに応じて、使用する薬液が高粘度であるか低粘度であるかが予め分類されており、薬液の種類に応じて高粘度あるいは低粘度の設定が行われる。
【００２３】
前記薬液流量センサ２６は、水用流量センサ１８と同じく、例えば、流路に介設された羽根車（不図示）の回転を検出し、その回転数に応じたパルス（周波数）信号を検出信号として出力するもので、制御ユニットＵｃでは、この出力信号に基づいて薬液吐出量が演算される。
尚、具体的には図示しなかったが、前記制御ユニットＵｃには、ギヤポンプ２２を低出力モード若しくは高出力モードで運転中に、薬液流量センサ２６の検出流量が当該出力モードでの規定値以上であるか、或いは規定値未満であるかを判定する判定回路が設けられている。
【００２４】
この判定は、例えば、薬液流量センサ２６から出力される検出信号としてのパルス信号のパルス間隔を基準値と対比して行われる。すなわち、このパルス間隔は液体流量に対応しており、前述のように、標準的な粘度レベルに応じて設定吐出流量でのギヤポンプ２２の出力％が設定されると、この出力％に応じたパルス間隔の基準値が定まる。パルス間隔は流体流量が少ないほど長くなるので、検出信号のパルス間隔が基準値よりも長い場合には、設定吐出流量よりも少ないことになる。
【００２５】
但し、実際には、薬液流量センサ２２の検出誤差や薬液流量の微少な変動などもあるので、本実施形態では、上述の基準値に所定の許容範囲（例えば、プラス（＋）１００％）を設け、この許容範囲を越えてパルス間隔が長くなった場合に、薬液流量センサ２６の検出流量が当該出力モードでの規定値未満であると判定し、パルス間隔が許容範囲内にある限り、薬液流量センサ２６の検出流量が当該出力モードでの規定値以上であると判定するようにしている。
【００２６】
尚、希釈装置Ａｄの稼働初期や第１タンクＴ１の交換後（或いはタンクＴ１内に新規に薬液を加えた後）など、ギヤポンプ２２の上流側配管（薬液供給管Ｐｄ１）内に装置Ａｄの稼働時または再稼働時の初期のエアが存在することが想定される場合には、より好ましくは、装置Ａｄの稼働または再稼働に先立って、少なくともギヤポンプ２２の上流側配管内を水で濡らしておくことにより、ポンプ２２の所謂「泡噛み」を抑制してスムースにポンプ２２を始動でき、より素早く薬液を吸い込み吐出することができる。
この場合、装置Ａｄの稼働または再稼働に先立って、第１タンクＴ１の代わりに水を入れたタンクをセットし、ギヤポンプ２２を駆動して水を吸い込み、吐出排水することで、ポンプ２２の上流側配管Ｐｄ１内を水で濡らすことができる。
【００２７】
図３に示されるように、希釈装置Ａｄには、前記給水電磁弁１４，ギヤポンプ２２の駆動モータ２４及びポンプブレーカＢＫなどに電力を供給する電源ユニットＵｓが設けられ、この電源ユニットＵｓは、例えば交流１００ボルトとされた電源（所謂、家庭用電気配線）に繋ぎ込まれると共に、本希釈装置Ａｄの制御を行うための前記制御ユニットＵｃに信号授受可能に接続されている。
尚、この制御ユニットＵｃは、多数の電気回路および電子回路を搭載した電気回路基板を主要部として構成されている。
【００２８】
制御ユニットＵｃには、前記水用流量センサ１８及び薬液流量センサ２６の他、スイッチ回路４０，表示回路４５，メモリ装置５０，警報回路５５及び操作表示部７０などが接続されている。
前記スイッチ回路４０は、電源ボタン，運転スタートボタン等のスイッチ機能を有する各種ボタンのボタン操作に応じて、回路内の対応する各スイッチ要素をオン／オフ（ОＮ／ОＦＦ）するものである。また、表示回路４５は、希釈装置Ａｄが運転中であることを示す運転表示ランプの他、薬液の粘度表示ランプ，薬液補給や給水異常の警報ランプ、更には、設定された希釈倍率あるいは希釈薬液量等を表示する表示パネル部など、後で詳しく説明する操作表示部７０の各表示を制御するものである。
【００２９】
更に、メモリ装置５０は、例えばＥＥＰＲＯＭで構成され、種々のデータ等を読み出し可能に記憶するものであり、例えば、前記ギヤポンプ２２の電動モータ２４の作動時間の積算値（積算作動時間）なども、このメモリ装置５０に記憶されている。また、警報回路５５は、異常を報知する警報ブザー（不図示）を作動させるものである。
【００３０】
尚、上記薬液供給管Ｐｄ１，ギヤポンプ２２及びその駆動モータ２４並びにその制御機構，薬液吐出管Ｐｄ２，タンク供給管Ｐｋによって「薬液供給機構」が構成され、この薬液供給機構に、薬液貯留容器としての第１タンクТ１を加えて「薬液供給手段」が構成されている。また、希釈液供給源としての水道元管２への給水接続部１２，給水管Ｐｗ１，給水電磁弁１４及び減圧定流量弁１６並びにこれらの制御機構，水用吐出管Ｐｗ２，タンク供給管Ｐｋによって、「希釈液供給手段」が構成されている。
【００３１】
以上のように構成された希釈装置Ａｄを用い、倍率設定ボタン（不図示）で設定された希釈倍率設定値と前記水用流量センサ１８及び薬液流量センサ２６の各検出値に基づいて、前記給水電磁弁１４及びギヤポンプ２２の各作動をそれぞれ制御することで、旧来のアスピレータ式のものに比して遥かに高精度で、設定された希釈倍率の希釈薬液を得ることができる。
尚、本実施形態では、より好ましくは、供給水量（希釈液の供給量）が実質的に一定に維持された下で、ギヤポンプ２２の駆動モータ２４の作動を制御して薬液供給量を調整することで、設定された希釈倍率を得るようにしている。この場合、供給水量と薬液供給量の両方を調整する場合に比して、制御を簡略化し精度もより高めることができる。
【００３２】
また、本実施形態では、希釈装置Ａｄの作動機器類や制御機器類および電気制御回路ならびに給水配管系や薬液供給配管系の一部などの主要部分が、一つの収納容器１０（次に述べる図４参照）内に収納されてユニット化されている。このように一つの収納容器１０内にユニット化することで、前述のように構成された電動式の希釈装置Ａｄをできるだけコンパクトなものとし、また、デザイン性を高めることもできる。
【００３３】
図４及び図５は、前記収納容器１０の正面説明図および左側面説明図であるが、これらの図に示されるように、収納容器１０の比較的上部の一方の側部（図４における右側部）から、前記給水管Ｐｗ１が突出しており、その給水接続部１２にジョイント部材３を介して水道管２（図１参照）が接続される。また、収納容器１０の比較的上部の他方の側部（図４における左側部）から、前記給水管Ｐｗ１の分岐管Ｐｗｂ（図１参照）が突出しており、その出口接続部１３は閉塞プラグ４で閉じられている。尚、本実施形態では、希釈装置Ａｄは単独で配置・使用されるが、複数の希釈装置Ａｄが並列に配置されて使用される場合には、前記閉塞プラグ４を取り外し、前記ジョイント部材３と同様のジョイント部材（不図示）を用いて、前記出口接続部１３を隣接する希釈装置Ａｄの給水接続部１２に繋ぎ込むことにより、給水系として共通の水道管２からの給水が利用できることは、前述の通りである。
【００３４】
更に、収納容器１０の下部からは、第１タンクＴ１に繋ぎ込まれる薬液供給管Ｐｄ１及び第２タンクＴ２に繋ぎ込まれるタンク供給管Ｐｋが下方に延出されている。尚、符号７５は、前記電動モータ２４及び給水電磁弁１４等に対し、外部の電源から取り入れられた電力を供給するための電気コード７５である。
【００３５】
前記収納容器１０は、図５から良く分かるように、希釈装置Ａｄを壁面Ｗｆに取り付ける際に該壁面Ｗｆに固定される板状のベース部６１ｂを有するケースハウジング６１と、一方側が開口した所定深さの矩形ボックス状に形成されたケースカバー６５とを備えおり、該ケースカバー６５を前記ケースハウジング６１に組み付けることで、収納容器１０内に収納された構成要素が覆われる。前記ベース部６１ｂの上下のフランジ部６１ｆを壁面Ｗｆに締結固定することで、ケースハウジング６１を介して希釈装置Ａｄが壁面Ｗｆに取り付けられる。尚、好ましくは、ケースカバー６５の底壁部には、収納容器１０の内部と外部とを連通させる貫通穴６５ｈが設けられている。
【００３６】
前記収納容器１０の組立状態でケースハウジング６１と反対側に位置するケースカバー６５の正面壁部６５ｂには、各種の操作ボタンや表示部および表示ランプなどを備えた操作表示部７０が配設されている。この操作表示部７０は、水用流量センサ１８及び薬液流量センサ２６，スイッチ回路４０，表示回路４５，メモリ装置５０，警報回路５５などが接続された前述の制御ユニットＵｃに信号授受可能に接続されている。
【００３７】
図６は、この操作表示部７０を拡大して示す正面説明図である。
この図に示すように、前記操作表示部７０の上部には、電源ボタン７１，運転スタートボタン７２，停止及びモード切換ボタン７３の３つの操作ボタンが設けられている。電源ボタン７１は、希釈装置Ａｄへの電力供給をＯＮ／ＯＦＦする操作ボタンであり、運転スタートボタン７２は、希釈装置Ａｄの運転を開始させる操作ボタンである。尚、この運転スタートボタン７２には、希釈装置Ａｄが運転中である場合に点灯する運転表示ランプ８１が付設されている。
【００３８】
また、停止及びモード切換ボタン７３は、単独で押下操作した場合には、希釈装置Ａｄの運転を停止させる停止ボタンとして働くが、前記電源ボタン７１と同時に押下することにより、後述するように、表示パネル部の表示モードを切り換える表示モード切換ボタンとして作用する。
つまり、この停止及びモード切換ボタン７３と前記電源ボタン７１が、操作表示部７０の表示モードを、希釈装置Ａｄの制御情報を表示する通常モードから、希釈装置Ａｄのメインテナンス情報を表示するメインテナンスモードに切り換えるための具体的な表示切換手段を構成している。
【００３９】
また、前記操作表示部７０には、薬液の粘度を高粘度および低粘度の何れかに設定する粘度設定ボタン７７が設けられると共に、設定された薬液粘度が高粘度である場合に点灯する高粘度表示ランプ８２と、設定された薬液粘度が低粘度である場合に点灯する低粘度表示ランプ８３が設けられている。
薬液の粘度については、使用が想定される各種薬液の標準的な粘度レベルに応じて、高粘度と低粘度とに予め分類されており、実際に使用する薬液が決まると、前記分類に応じて、当該使用薬液が高粘度であるか低粘度であるかが分かり、これにより、粘度設定ボタン７７により薬液粘度の設定が行われる。例えば、粘度設定ボタン７７を１回だけ押下操作することで高粘度に設定され、高粘度表示ランプ８２が点灯し、粘度設定ボタン７７を２回続けて押下操作することで低粘度に設定され、低粘度表示ランプ８３が点灯するようになっている。
【００４０】
前記操作表示部７０には、更に、当該希釈装置Ａｄで得られるべき希釈薬液の希釈倍率と液量（Ｌ：リットル）をそれぞれ設定する希釈倍率設定ボタン７８及び液量設定ボタン７９と、設定された希釈倍率または液量を数値で表示する例えば液晶タイプの表示パネル部９０が設けられている。また、この表示パネル部９０の側方には、表示された数値が希釈倍率であるか液量であるかを示すために、希釈倍率表示ランプ８４及び液量表示ランプ８５が上下に並べて配置されている。
希釈倍率設定ボタン７８を押下する度に表示数値が変わり、所期の数値が表示された時点で押下操作を止め、次いで液量設定ボタン７９を操作することで、希釈倍率の設定が行われる。また、希釈薬液量の設定については、液量設定ボタン７９を押下する度に表示数値が変わり、所期の数値が表示された時点で押下操作を止め、次いで運転スタートボタン７２をＯＮ操作することで、希釈薬液量が設定されるとともに、希釈装置Ａｄの運転が開始される。
【００４１】
本実施形態では、希釈装置Ａｄの運転時など、通常時においては、前記表示パネル部９０には、希釈装置Ａｄの制御に関連した制御情報として、上述のようにして設定された希釈倍率または液量が表示されている。
【００４２】
また更に、操作表示部７０の下端側には、設定ロック表示ランプ８６，薬液補給警報ランプ８７，給水異常警報ランプ８８の３つのランプが配置されている。設定ロック表示ランプ８６は、薬液粘度，希釈薬液の希釈倍率および液量の設定について、当該希釈工程での設定をその後の希釈工程においても維持し適用する場合に点灯するランプである。例えば、前記停止及びモード切換ボタン７３を所定時間（例えば２秒間）長押しした上で、前記液量設定ボタン７９を１回だけ押下操作することで、各設定がロックされて設定ロック表示ランプ８６が点灯し、一方、液量設定ボタン７９を再び押下操作することで、各設定のロックが解除されて設定ロック表示ランプ８６が消灯するようになっている。
【００４３】
また更に、薬液補給警報ランプ８７は、第１タンクＴ１内の薬液残量が所定量以下になったことが検知された場合に、薬液の補給が必要である旨を報知するランプである。また、給水異常警報ランプ８８は、希釈液（水）供給系に何らかの異常が生じて給水量の不足等が検知された場合に、給水異常が生じたことを報知するランプである。
【００４４】
本実施形態では、かかる電気式の希釈装置Ａｄについて、所要のメインテナンス情報を容易に得ることができるように、前記表示パネル部９０の表示モードを、希釈装置Ａｄの制御に関連した制御情報を表示する通常モードと、希釈装置Ａｄのメインテナンスに関連したメインテナンス情報を表示するメインテナンスモードとに切り換えることができるようになっている。
通常モードからメインテナンスモードへの表示モードの切り換えは、前述のように、停止及びモード切換ボタン７３と電源ボタン７１とを同時に押下操作することにより行われる。
【００４５】
希釈装置Ａｄの運転時など、通常時においては、前記表示パネル部９０の表示モードは通常モードであり、前述のように、希釈装置Ａｄの制御に関連した制御情報として希釈倍率または液量が数値表示されている。
そして、メインテナンス情報を得る場合には、前述のように、停止及びモード切換ボタン７３と電源ボタン７１とを同時に押下して表示モードをメインテナンスモードに切り換え、希釈装置Ａｄのメインテナンスに関連したメインテナンス情報を表示パネル部９０に表示させるようになっている。
【００４６】
本実施形態では、前記メインテナンス情報として、前記水用流量センサ１８の作動状態に関する情報、薬液流量センサ２６の作動状態に関する情報、表示系（各表示ランプ８１〜８８及び表示パネル部９０）の作動状態、並びに前記ギヤモータ２２の電動モータ２４の作動時間の積算値が表示可能である。
【００４７】
次に、表示パネル部９０の表示モードをメインテナンスモードに切り換えて所要のメインテナンス情報を得る手順について、図７のフローチャートを参照しながら説明する。
メインテナンスモードがスタートすると、まず、ステップ＃１で、流量センサ確認モードに入り、水用流量センサ１８及び薬液流量センサ２６の作動状態に関する情報が、前記表示パネル部９０に表示される。本実施形態では、この流量センサ確認モードに入った時点では、表示パネル部９０に、各流量センサ１８，２６のパルスレベルとして、例えば「０−０」が表示される。この例では、左側の数字が水用流量センサ１８のパルスレベルを、右側の数字が薬液流量センサ２６のパルスレベルを、それぞれ表している。流量センサ確認モードの開始初期に上記「０−０」の表示が出ない場合には、表示系に何らかの不具合があることを示している。
【００４８】
流量センサ確認モードが開始された後、運転スタートボタン７２をＯＮ操作することで、給水電磁弁１４が開かれて給水が開始されると共に、ギヤポンプ２２が駆動されて薬液の吐出が始まる。そして、給水量および薬液吐出量に応じた各流量センサ１８，２６のパルスレベルが、前記表示パネル部９０に表示される。
このとき、例えば、給水量が正常であれば水用流量センサ１８のパルスレベルは「７」を示し、また、粘度が高い薬液の流量が正常であれば薬液流量センサ２６のパルスレベルは「３」を示す。つまり、この例では、「７−３」が表示パネル部９０に表示される。尚、例えば、パルスレベル「７」，「３」は、それぞれセンサパルス周波数で「７０〜７９Ｈｚ」，「３０〜３９Ｈｚ」の範囲にあることを表している。
【００４９】
従って、流量センサ確認モードでの表示パネル部９０の表示を確かめることで、水用流量センサ１８の作動の良否、及び薬液の種類に応じた薬液流量センサ２６の作動の良否を確認することができる。
このように、水用流量センサ１８，薬液流量センサ２６の作動状態を示すメインテナンス情報としての各パルスレベルを表示パネル部９０に表示することができるので、これら流量センサ１８，２６の適切なタイミングでのメインテナンスを容易に行うことができるようになる。
【００５０】
この流量センサ確認モード中は、予め設定された時間（例えば６０秒）以内に操作表示部７０内の何れかのスイッチ或いはボタンが操作されたか否かが継続的に判定されており（ステップ＃２）、この判定結果がＹＥＳの場合にはメインテナンスモードが継続され、ＮＯになると、メインテナンスモードが終了して通常モードに復帰する（ステップ＃９）ようになっている。
【００５１】
次に、ステップ＃２で規定された設定時間以内に所定のボタン（本実施形態では、例えば粘度設定ボタン７７）を押下操作することで、表示系の点灯確認モード（ステップ＃３）に入る。この点灯確認モードでは、全ての表示系（各表示ランプ８１〜８８及び表示パネル部９０）が点灯するように設定されている。従って。この表示系の点灯確認モードで点灯するか否かで、各表示ランプの故障の有無が分かる。表示パネル部９０の場合には、正常であれば、例えば特定の数字（例えば「８」）が複数並んで表示される。
このように、表示系の点灯確認モードを実行することにより、表示系（各表示ランプ８１〜８８及び表示パネル部９０）の作動状態を確認することができ、これら表示系の各要素（各表示ランプ８１〜８８及び表示パネル部９０）の適切なタイミングでのメインテナンスを容易に行うことができる。
【００５２】
この表示系の点灯確認モード中においても、予め設定された時間（例えば６０秒）以内に操作表示部７０内の何れかのボタンが操作されたか否かが継続的に判定され（ステップ＃４）、この判定結果がＹＥＳの場合にはメインテナンスモードが継続され、ＮＯになると、メインテナンスモードが終了して通常モードに復帰する（ステップ＃９）。
【００５３】
尚、この表示系の点灯確認モード中に、特定のボタン（本実施形態では、例えば液量設定ボタン７９）を押下操作することで、今現在の設定を全てキャンセルしてクリアする（初期状態に戻す）ことができる。また、この場合、後述するモータの積算作動時間もクリアされる（積算値が０になる）ようになっている。本実施形態では、前記初期状態に戻った場合には、例えば、薬液粘度が低粘度，希釈倍率が３倍、希釈薬液量は０．５リットルに設定されるようになっている。
【００５４】
更に、ステップ＃４で規定された設定時間以内に所定のボタンを押下操作することで（本実施形態では、例えば粘度設定ボタン７７を再び押下操作することで）、モータの積算作動時間表示モード（ステップ＃５）に入り、電動モータ２４の作動時間の積算値（積算作動時間：Ｈｒ）が表示パネル部９０に表示される。
この表示された積算作動時間が予め定められた規定時間に達している場合には、電動モータ２４を新品と交換する。この規定時間は、当該電動モータ２４の標準的な寿命に対して所定の安全係数を加味して定められる。
【００５５】
このように、薬液供給用のギヤポンプ２２を駆動する電動モータ２４について、その作動時間の積算値を示すメインテナンス情報を表示パネル部９０に表示することで、当該電動モータ２４の適切なタイミングでのメインテナンスを容易かつ確実に行えるのである。これにより、電動モータ２４の不具合に起因するギヤポンプ２２の作動不良によって希釈倍率が仕様と異なる希釈薬液が大量に作られてしまうなど、大きな無駄が生じることを未然に防止することができる。
【００５６】
このモータの積算作動時間表示モード中においても、予め設定された時間（例えば６０秒）以内に操作表示部７０内の何れかのボタンが操作されたか否かが継続的に判定され（ステップ＃６）、この判定結果がＹＥＳの場合にはメインテナンスモードが継続され、ＮＯになると、メインテナンスモードが終了して通常モードに復帰する（ステップ＃９）。
【００５７】
そして、ステップ＃６で規定された設定時間以内に所定のボタンを押下操作することで（本実施形態では、例えば粘度設定ボタン７７を再び押下操作することで）、メインテナンス情報の再確認を行うことができる。すなわち、ステップ＃７で、前記の再確認操作があったか否かが判定され、この判定結果がＹＥＳの場合には、ステップ＃１に戻り、それ以降の各ステップが繰り返して行われる。
【００５８】
一方、電源ボタン７１以外の操作表示部７０内の何れかのボタンが操作されたが前記再確認操作でない場合（ステップ＃７：ＮＯ）には、メインテナンスモードが終了して通常モードに復帰する（ステップ＃９）。また、前記モータの積算作動時間表示モードを終えた後、電源ボタン７１をＯＦＦ操作する（ステップ＃８）ことにより、メインテナンスモードを積極的に終了させることができる。
【００５９】
以上、説明したように、本実施形態によれば、希釈装置Ａｄの制御に関連した制御情報と、当該希釈装置Ａｄのメインテナンスに関連したメインテナンス情報の何れか一方を、前記操作表示部７０に選択的に表示させることができる。
そして、希釈装置Ａｄの運転時など通常時には、前記操作表示部７０の表示モードを通常モードとして、希釈装置Ａｄの制御に関連した制御情報を表示する一方、該希釈装置Ａｄのメインテナンス情報が必要な場合には、電源ボタン７１と停止及びモード切換ボタン７３を同時に押下操作して、表示モードをメインテナンスモードに切り換えることにより、前記希釈装置Ａｄのメインテナンスに関連したメインテナンス情報を操作表示部７０段に表示させることができる。すなわち、表示モードの切換操作を行うことで、所要のメインテナンス情報を容易に得ることができ、希釈装置Ａｄの適切なタイミングでのメインテナンスを容易に行えるのである。
【００６０】
尚、本発明は、前記実施態様に限定されるものではなく、また、その要旨を逸脱しない範囲において、種々の改良あるいは設計上の変更が可能であることは言うまでもない。
【産業上の利用可能性】
【００６１】
本発明は、希釈倍率設定ボタンで設定された希釈倍率設定値と希釈水流量センサ及び薬液流量センサの各検出値に基づいて、希釈水の給水電磁弁および薬液供給用の電動式ポンプの少なくとも何れか一方の作動を制御するようにした、所謂、電気式の希釈装置において、希釈液および薬液用の各流量センサや電動式の部品のメインテナンスを容易に行えるようにするもので、例えば、洗剤の原液を水で所定倍率に薄めて用いる場合に使用される業務用等の希釈装置として、好適に利用することができる。
【図面の簡単な説明】
【００６２】
【図１】本発明の実施形態に係る希釈装置の全体構成を概略的に示すブロック構成図である。
【図２】図１の要部を拡大して示す要部拡大説明図である。
【図３】前記希釈装置の駆動系及び制御系の構成を概略的に示すブロック構成図である。
【図４】前記希釈装置の主要部を収納する収納容器の正面説明図である。
【図５】前記収納容器の左側面説明図である。
【図６】前記収納容器に設けられた操作表示部を拡大して示す正面説明図である。
【図７】前記操作表示部におけるメインテナンスモード説明するためのフローチャートである。
【符号の説明】
【００６３】
１０…収納容器
１２…給水接続部
１４…給水電磁弁
１６…減圧定流量弁
１８…水用流量センサ
２２…ギヤポンプ
２４…駆動モータ
２６…薬液流量センサ
６０…電気回路基板
６５…ケースカバー
７０…操作表示部
７１…電源ボタン
７２…運転スタートボタン
７３…停止及びモード切換ボタン
７７…粘度設定ボタン
７８…希釈倍率設定ボタン
７９…液量設定ボタン
９０…表示パネル部
Ａｄ…希釈装置
Ｐｄ１…薬液供給管
Ｐｄ２…薬液吐出管
Ｐｋ…タンク供給管
Ｐｗ１…給水管
Ｐｗ２…水用吐出管
Т１…第１タンク
Т２…第２タンク
Ｕｃ…制御ユニット
【図１】
2006346628.tif 000003
【図２】
2006346628.tif 000004
【図３】
2006346628.tif 000005
【図４】
2006346628.tif 000006
【図５】
2006346628.tif 000007
【図６】
2006346628.tif 000008
【図７】
2006346628.tif 000009